(57)【要約】【課題】表示装置の大型化および基板増加に対応できる遊技機を提供することである。【解決手段】液晶ボックス８１ｂの凹面にスケーラ基板ボックス取付部９１ｂを形成するとともに凸面に第１演出制御基板ボックス取付部１２６ａおよび第２演出制御基板ボックス取付部１２６ｂを形成し、凹面にスケーラ基板９１を収容し、その上に演出制御基板９０および音声枠ランプ制御基板９２等を積層させて取り付ける。【選択図】図８
2008048958.tif 000002
【特許請求の範囲】
【請求項１】
遊技者が所定の遊技を行なうことが可能な遊技機であって、
所定の開口部を有するとともに、遊技領域が形成される遊技盤と、
前記開口部を介して遊技者が視認可能な表示部を前面に有する表示装置と、
前記遊技の進行に応じて遊技の演出を制御する演出制御用マイクロコンピュータを搭載した演出基板と、
前記表示装置の後面を被覆するカバー体と、
前記演出基板を収容する演出基板収容ボックスとを備え、
前記カバー体には、前記表示装置の後面側にくぼめて前記演出基板と異なる所定の別基板を収容可能な別基板収容部が形成されるとともに、該別基板収容部以外の部分に前記演出基板収容ボックスを取り付けるためのボックス取付部が形成されており、
前記カバー体は、前記別基板収容部に前記別基板を収容し、かつ前記ボックス取付部に前記演出基板収容ボックスを取り付けることにより、前記別基板と前記演出基板とを積層させることを特徴とする、遊技機。
【請求項２】
前記別基板は、配線に接続されている配線側コネクタと接続するための別基板側コネクタを有し、
前記別基板側コネクタは、前記配線側コネクタを抜き挿しする方向が前記別基板に沿った方向となるように、前記別基板に設けられていることを特徴とする、請求項１に記載の遊技機。
【請求項３】
前記カバー体には、前記演出基板および前記別基板各々と異なる他基板を取り付けるための他基板取付部が形成されていることを特徴とする、請求項１または請求項２に記載の遊技機。
【請求項４】
遊技の進行を制御するとともに制御信号を送信する遊技制御用マイクロコンピュータを搭載した主基板と、
前記遊技制御用マイクロコンピュータからの制御信号を中継して前記演出制御用マイクロコンピュータに送信する中継基板とをさらに備え、
前記演出基板収容ボックスは、前記ボックス取付部に取り付ける主体と、該主体に組み付けることにより前記演出基板を被覆して収容する蓋体とを有し、
前記蓋体には、前記中継基板を取り付けるための中継基板取付部が形成されていることを特徴とする、請求項１〜請求項３のいずれかに記載の遊技機。
【請求項５】
所定の遊技枠と、
該遊技枠に取り付けられる発光体と、
前記遊技盤に取り付けられ、所定の配線を接続するための基板側コネクタを有し、前記演出基板から出力される前記発光体の駆動信号を中継する発光体中継基板と、
前記基板側コネクタに接続される接続用コネクタを有し、前記発光体中継基板からの駆動信号を前記発光体に供給する発光体用配線と、
前記遊技枠に取り付けられており、前記発光体用配線を保持するための保持部材とをさらに備えることを特徴とする、請求項１〜請求項４のいずれかに記載の遊技機。
【請求項６】
前記ボックス取付部には、取付部側係合部と取付部側係止片とが形成されており、
前記演出基板収容ボックスは、前記ボックス取付部に取り付ける主体と、該主体に組み付けることにより前記演出基板を被覆して収容する蓋体とを有し、
前記主体には、前記取付部側係合部と係合するボックス側係合部が形成されており、
前記取付部側係止片は、前記ボックス側係合部を前記取付部側係合部に係合させ、かつ前記ボックス取付部に対して前記主体を所定位置までスライドさせたときに、該主体を係止することを特徴とする、請求項１〜請求項５のいずれかに記載の遊技機。
【請求項７】
前記表示装置は、輝度を調整可能なバックライトを有する液晶表示装置であって、
前記遊技機は、
操作を受付ける操作受付手段を有し、該操作受付手段により受付けられた操作に基づき前記バックライトの輝度の調整を行なうインバータ基板と、
前記カバー体と別体であり、前記インバータ基板を収容するインバータ基板収容ボックスとをさらに備えることを特徴とする、請求項１〜請求項６のいずれかに記載の遊技機。
【発明の詳細な説明】
【技術分野】
【０００１】
本発明は、パチンコ遊技機、コイン遊技機、スロットマシンなどで代表される遊技機に関する。詳しくは、遊技者が所定の遊技を行なうことが可能な遊技機に関するものである。
【背景技術】
【０００２】
この種の遊技機として従来から一般的に知られているものに、所定の遊技領域が形成される遊技盤の裏側において、各種基板等を取り付けるものがあった。このような遊技機としては、たとえば、遊技盤に搭載された表示装置の後面側に、遊技の演出を制御するための基板を収容するボックスであってカバー部材に凹部が形成された演出制御基板ボックスを取り付けるとともに、カバー部材に形成された凹部に電力や情報信号を中継する中継基板を収容するものがあった。
【特許文献１】特開２００６−４２８８６号公報
【発明の開示】
【発明が解決しようとする課題】
【０００３】
近年、遊技の演出を迫力あるものにするべく、遊技盤に搭載される表示装置が大型化する傾向にある。これに伴い、表示装置を制御するための基板等の数が増加しつつある。このため、遊技盤の裏側といった限られたスペースの中で、大型化した表示装置や増加した基板等をどのように収容するか新たな問題が生じていた。
【０００４】
このような問題を解決するために、従来の遊技機では、演出制御基板ボックスに増加した基板を収容させるための凹部を新たに形成し、新たに形成した凹部に増加した基板を収容させることが考えられる。
【０００５】
しかしながら、演出制御基板ボックスにより収容されている基板に搭載された電気部品等の視認性を一定レベル以上に保つ必要があるため、新たに形成する凹部の形成領域が所定の大きさに限られてしまう。このため、従来の遊技機では、限られた大きさの基板しか取り付けることができないといった不都合が生じる虞があった。
【０００６】
この発明はかかる実情に鑑み考え出されたものであり、その目的は、表示装置の大型化および基板増加に対応できる遊技機を提供することである。
【課題を解決するための手段の具体例およびその効果】
【０００７】
（１）  遊技者が所定の遊技（遊技領域４１に玉を発射、各種入賞口への入賞、特別図柄表示装置４４ａ，液晶表示装置４４ｂ，および普通図柄表示装置６３における変動表示、特別可変入賞球装置４８および普通可変入賞球装置５８の開閉等）を行なうことが可能な遊技機（パチンコ遊技機１）であって、
所定の開口部（遊技盤開口部）を有するとともに、遊技領域（遊技領域４１）が形成される遊技盤（遊技盤４０）と、
前記開口部を介して遊技者が視認可能な表示部を前面に有する表示装置（液晶表示装置４４ｂ）と、
前記遊技の進行（たとえば、主基板１２０からの情報信号の種類）に応じて遊技の演出（遊技効果ＬＥＤ１３，１４ａ，１４ｃ、遊技効果ランプ１４ｂ，１４ｄ，１６ａ，１６ｂ，１７ａ，１７ｂの点灯または点滅、スピーカ１２ａ，１２ｂからの効果音、液晶表示装置４４ｂにおいて飾り図柄を変動開始する等の画像による演出）を制御する演出制御用マイクロコンピュータ（演出制御用マイクロコンピュータ、音声枠ランプ制御用マイクロコンピュータ）を搭載した演出基板（演出制御基板９０、音声枠ランプ制御基板９２）と、
前記表示装置の後面を被覆するカバー体（液晶ボックス８１ｂ）と、
前記演出基板を収容する演出基板収容ボックス（演出制御基板ボックス１２５）とを備え、
前記カバー体には、前記表示装置の後面側にくぼめて前記演出基板と異なる所定の別基板（スケーラ基板９１）を収容可能な別基板収容部（スケーラ基板ボックス取付部９１ｂ）が形成されるとともに、該別基板収容部以外の部分に前記演出基板収容ボックスを取り付けるためのボックス取付部（第１演出制御基板ボックス取付部１２６ａ、第２演出制御基板ボックス取付部１２６ｂ）が形成されており、
前記カバー体は、前記別基板収容部に前記別基板を収容し、かつ前記ボックス取付部に前記演出基板収容ボックスを取り付けることにより、前記別基板と前記演出基板とを積層させる（図８）。
【０００８】
このような構成によれば、カバー体に別基板を収容することができ、表示装置が大型化するほど、別基板収容部の形成領域に自由度が増し別基板を収容する領域が大きくなる。このため、表示装置の大型化および基板増加に対応しやすくすることができる。
【０００９】
（２）  前記別基板は、配線（配線７８）に接続されている配線側コネクタ（配線側コネクタ７７）と接続するための別基板側コネクタ（基板側コネクタ７６）を有し、
前記別基板側コネクタは、前記配線側コネクタを抜き挿しする方向が前記別基板に沿った方向となるように、前記別基板に設けられている（図９）。
【００１０】
このような構成によれば、別基板収容部として必要な高さを極力低くすることができ、表示装置の後面方向への突出を最小限に抑えることができる。
【００１１】
（３）  前記カバー体には、前記演出基板および前記別基板各々と異なる他基板（たとえば、枠ランプ中継基板９９、将来的に増加される基板等）を取り付けるための他基板取付部（枠ランプ中継取付部９９ｂ）が形成されている（図６、図７）。
【００１２】
このような構成によれば、他基板を取り付けることができるため、カバー体の後面側スペースを有効利用できるとともに、基板増加により対応しやすくすることができる。
【００１３】
（４）  遊技の進行を制御するとともに制御信号（情報信号）を送信する遊技制御用マイクロコンピュータ（遊技制御用マイクロコンピュータ）を搭載した主基板（主基板１２０）と、
前記遊技制御用マイクロコンピュータからの制御信号を中継して前記演出制御用マイクロコンピュータに送信する中継基板（周辺コマンド中継基板５７）とをさらに備え、
前記演出基板収容ボックスは、前記ボックス取付部に取り付ける主体と、該主体に組み付けることにより前記演出基板を被覆して収容する蓋体とを有し（図５）、
前記蓋体には、前記中継基板を取り付けるための中継基板取付部（周辺コマンド中継基板５７が収容される凹部）が形成されている。
【００１４】
このような構成によれば、カバー体に取り付けられる演出基板収容ボックスの蓋体のスペースをも有効利用することができる。
【００１５】
（５）  所定の遊技枠（前面枠３および前面扉枠４、遊技枠）と、
該遊技枠に取り付けられる発光体（遊技効果ＬＥＤ１３，１４ａ，１４ｃ、遊技効果ランプ１４ｂ，１４ｄ，１６ａ，１６ｂ，１７ａ，１７ｂ）と、
前記遊技盤に取り付けられ、所定の配線（配線７４）を接続するための基板側コネクタ（基板側コネクタ７２）を有し、前記演出基板から出力される前記発光体の駆動信号（電源）を中継する発光体中継基板（枠ランプ中継基板９９）と、
前記基板側コネクタに接続される接続用コネクタ（配線側コネクタ７５）を有し、前記発光体中継基板からの駆動信号を前記発光体に供給する発光体用配線（配線７４）と、
前記遊技枠に取り付けられており、前記発光体用配線を保持するための保持部材（保持部材１６９、図１０）とをさらに備える。
【００１６】
このような構成によれば、遊技盤を交換する際、保持部材により発光体用配線を保持することができるため、作業性を向上させることができる。
【００１７】
（６）  前記ボックス取付部には、取付部側係合部（スライド穴９３４、９３５、９３６、９３７）と取付部側係止片（係止片９３８）とが形成されており、
前記演出基板収容ボックスは、前記ボックス取付部に取り付ける主体と、該主体に組み付けることにより前記演出基板を被覆して収容する蓋体とを有し、
前記主体には、前記取付部側係合部と係合するボックス側係合部（係合片９３０、９３１、９３２，９３３）が形成されており、
前記取付部側係止片は、前記ボックス側係合部を前記取付部側係合部に係合させ、かつ前記ボックス取付部に対して前記主体を所定位置までスライドさせたときに、該主体を係止する（図５）。
【００１８】
このような構成によれば、ビス等を使用せずに演出基板収容ボックスをカバー体に取り付けることができるため、ビス等を取り外す工具等を要することなく演出基板収容ボックスの取り付けおよび取り外しをすることができ、メンテナンス性を向上させることができる。
【００１９】
（７）  前記表示装置は、輝度を調整可能なバックライトを有する液晶表示装置であって、
前記遊技機は、
操作を受付ける操作受付手段（レベル調整スイッチ８８ｃ）を有し、該操作受付手段により受付けられた操作に基づき前記バックライトの輝度の調整を行なうインバータ基板（インバータ基板８８）と、
前記カバー体と別体であり、前記インバータ基板を収容するインバータ基板収容ボックス（インバータ基板ボックス８８ａ）とをさらに備える。
【００２０】
このような構成によれば、インバータ基板がカバー体と別体のインバータ基板収容ボックスに収容されており、かつインバータ基板が操作受付手段を有しているため、遊技盤の後面側の設置状況に応じて操作受付手段を操作しやすい場所にインバータ基板収容ボックスを配置することができ、操作性を向上させることができる。また、インバータ基板から生じる熱の放熱効率を向上させることができる。
【００２１】
（８）  （６）に記載の前記取付部側係合部は、前記別基板収容部を間に挟む位置に複数（４箇所）形成されており（図６）、
前記ボックス側係合部は、前記複数の取付部側係合部各々と係合する位置に複数形成されている（図５）。
【００２２】
このような構成によれば、別基板収容部を挟む複数箇所において演出基板収容ボックスが支持されるため、カバー体に取り付けられた演出基板収容ボックスの安定性を向上させることができる。
【発明を実施するための最良の形態】
【００２３】
以下に、本発明の実施の形態を図面に基づいて詳細に説明する。以下の実施の形態においては、遊技機の一例としてパチンコ遊技機を示すが、本発明はこれに限らず、たとえば、画像式の遊技機、コイン遊技機、および、スロット機等であってもよく、遊技者が所定の遊技を行なうことが可能な遊技機であればよい。なお、以下の説明においては、パチンコ遊技機１の遊技者側を表，表面，前面，前方で表わし、パチンコ遊技機１を挟んで遊技者と反対側を裏，裏面，後面，後方，奥，背面で示す。まず、図１および図２を参照して実施形態に係るパチンコ遊技機１の全体の構成について説明する。図１は、本実施形態に係るパチンコ遊技機１の正面図であり、図２は、パチンコ遊技機１の背面図である。
【００２４】
パチンコ遊技機１は、図１および図２に示すように、縦長な方形状に枠組み形成される外枠２と、該外枠２の一側に開閉自在に軸支されかつパチンコ遊技機１の主要構成部のほぼすべてが集約して設けられる前面枠３と、該前面枠３の前面上部に開閉自在に設けられる前面扉枠（ガラス枠）４と、前面枠３の前面下部に開閉自在に設けられる上皿開閉枠１１と、から構成されている。また、前面枠３に設けられる主要構成部としては、上記した前面扉枠４、遊技盤４０、下皿２７、灰皿ユニット２９、操作ハンドル３０、機構板１４０、打球発射装置１３０がある。前面枠３および前面扉枠４は、遊技枠ともいう。なお、図示はしていないが、パチンコ遊技機１の側方に遊技者に遊技球を貸し出す（球貸しする）ためのカードユニット装置１２８（図１１参照、遊技球等貸出装置接続端子板１０３に接続する）が付設されるものであってもよい。
【００２５】
前面扉枠４には、後述する遊技盤４０の遊技領域４１をほぼ透視し得る遊技開口としての円形透視窓５が開設され、該円形透視窓５の裏面から複層ガラス板が装着されるようになっている。この円形透視窓５および複層ガラス板は、いずれも縦長な円形状に形成されるものである。前面扉枠４の周縁には、後方に向かって補強周枠リブ（図示しない）が立設され、さらに、補強周枠リブに沿って補強金具を取付ビスで取り付けることにより、前面扉枠４の強度の向上を図っている。
【００２６】
また、前面扉枠４の前面側には、円形透視窓５の外周に沿って、上部に装飾部材としての上部装飾ユニット２２が、左側方に被覆部材としての左装飾ユニット２３が、右側方に被覆部材としての右装飾ユニット２４が、下部に前面構成部材としての下部装飾ユニット２５がそれぞれ設けられている。上部装飾ユニット２２の内部に、発光部材としての遊技効果ＬＥＤ１３，１４ａ，１４ｃおよび遊技効果ランプ１４ｂ，１４ｄが臨むように前面枠３の前面側に備えられ、左装飾ユニット２３および右装飾ユニット２４の内部に、それぞれ発光部材としての遊技効果ランプ１６ａ，１６ｂおよび遊技効果ランプ１７ａ，１７ｂが臨むように前面枠３の前面側に備えられている。この遊技効果ＬＥＤ１３，１４ａ，１４ｃ、遊技効果ランプ１４ｂ，１４ｄ，１６ａ，１６ｂ，１７ａ，１７ｂは、遊技の進行に応じた遊技の演出として点灯または点滅させるものであり、特別の遊技状態の発生時や継続時を遊技者に報知するとともに遊技の雰囲気を盛り上げるものである。なお、本実施の形態における特別の遊技状態とは、遊技者にとって有利な特定遊技状態（いわゆる大当り等）、通常状態よりも特定遊技状態となる確率が向上した確率変動状態（いわゆる確変状態等）、各々が識別可能な図柄を変動表示（たとえばスクロール表示）させる変動表示状態（いわゆる変動中等）、通常状態よりも変動表示が行なわれる変動時間が短縮される時間短縮状態等をいう。なお、状態表示および連続作動回数表示器７は、確率変動状態中であるか否か、時間短縮状態であるか否か、および確率変動状態中に大当りした回数を特定可能な態様（たとえば、確率変動状態中であるときは赤色でかつ当該確率変動状態中に連続して大当りが発生した回数分だけ点滅させて所定時間消灯させるサイクルを繰返す態様、時間短縮状態中であるときは青色を点灯させる態様、非確率変動状態中であるときは緑色を点灯させる態様）で制御される。遊技効果ＬＥＤ１３，１４ａ，１４ｃ、遊技効果ランプ１４ｂ，１４ｄ，１６ａ，１６ｂ，１７ａ，１７ｂは、前面枠３の前面側に備えられるものに限らず、前述した遊技枠に備えられているものであればよく、たとえば前面扉枠４に備えられたものであってもよい。
【００２７】
また、上部装飾ユニット２２の左右には、遊技の進行に応じた遊技の演出として効果音（音声なども含む）を発生するスピーカ１２ａ，１２ｂが設けられている。なお、スピーカ１２ａ，１２ｂは、前面枠３に取り付けられており、玉の貸出異常が生じたとき、あるいは玉の貸出時（たとえば、１００円相当の玉が払い出される毎）に、その旨を報知する報知音も発生するようにしてもよい。また、左装飾ユニット２３の上部右側方に、入賞球の発生に基づいて所定個数の賞球が払い出されたことを報知する遊技関連情報発光部材としての賞球ＬＥＤ１０（なお、賞球未払出分がある場合に報知するものでもよい。具体的には、賞球未払出があるときは点灯し、賞球未払出がないときは消灯するなど）が前面扉枠４の前面から視認可能に設けられ、右装飾ユニット２４の上部左側方に、払い出すべく賞球が不足したこと（後述する球切れスイッチ１５７により球切れを検出したとき）を報知する遊技関連情報発光部材としての球切れＬＥＤ９が前面扉枠４の前面から視認可能に設けられている。この賞球ＬＥＤ１０および球切れＬＥＤ９は、パチンコ遊技機１において行なわれる遊技の演出とは別に遊技に関する情報に関連して発光する遊技関連情報発光部材であり、遊技効果ＬＥＤや遊技効果ランプとは別に設けられるものであり、前面枠３の前面側に設けられている。また、下部装飾ユニット２５の両側方には、遊技盤４０に貼付される証紙を視認するための透視窓１８が設けられている。
【００２８】
上記した遊技効果ＬＥＤ１３，１４ａ，１４ｃ、遊技効果ランプ１４ｂ，１４ｄ，１６ａ，１６ｂ，１７ａ，１７ｂは、それぞれプリント配線基板（図示しない）に実装されて前面枠３の前面側に取り付けられる。なお、遊技効果ＬＥＤ１３，１４ａ，１４ｃ、遊技効果ランプ１６ａ，１６ｂ，１７ａ，１７ｂは、各プリント基板にそれぞれ複数個ずつ実装され、遊技効果ランプ１４ｂ，１４ｄは、各プリント基板にそれぞれ１個ずつ実装されている。一方、球切れＬＥＤ９、賞球ＬＥＤ１０は、各プリント基板にそれぞれ複数個ずつ実装されている。
【００２９】
次に、前面扉枠４の透視窓５の下方に位置する上皿開閉枠１１に形成された上皿１９の構成について説明すると、上皿１９は、複数の合成樹脂製部材を組合せた皿部材を固着することにより構成されている。上皿１９の開放側の上方には、玉抜き操作部２１が設けられている。この玉抜き操作部２１は、押圧操作可能に設けられ、スプリングの付勢力に抗して押圧することにより、上皿１９に貯留されていた球を裏面側に形成される玉抜き路（図示しない）および玉抜き穴（図示しない）を流下させて下皿２７に誘導するものである。
【００３０】
上記した上皿１９について、さらに詳細に説明すると、上皿１９は、その上流側に形成される賞球払出口２０から払い出された賞球を貯留し、かつ発射位置に球を供給するものである。また、上皿１９には、パチンコ遊技機１に隣接して設けられるカードユニット装置１２８を介して玉を借り受ける際に操作する操作部（残高表示部）が設けられている。この操作部は、上皿１９の上面に臨むように設けられている。また、上皿１９の右側方には、前面扉枠４を前面枠３に対して施錠しかつ前面枠３を外枠２に対して施錠する施錠装置を操作するためのシリンダー錠２６が臨んでいる。
【００３１】
また、前面枠３の下部に取り付けられる下皿２７は、前記上皿１９から溢れた余剰球を貯留する余剰球貯留皿（余剰球受皿）であり、その下皿２７の下方には、玉抜き操作レバー２８がスライド可能に取り付けられるようになっている。この玉抜き操作レバー２８を操作することにより、下皿２７に貯留されていた玉（賞球）を下方に玉抜きして持ち運び可能な球箱に移し替えることができる。また、下皿２７の左側には、灰皿ユニット２９が設けられ、右側には、操作ハンドル３０が設けられている。操作ハンドル３０は、後述する打球発射装置１３０の発射モータの駆動を停止させるための単発発射スイッチおよびタッチリング（タッチセンサ）に接続されるタッチ配線（図示しない）が組み付けられているとともに、弾発力を調節するものである。
【００３２】
パチンコ遊技機１の正面構造は、概ね上記した通りであるが、パチンコ遊技機１にカードユニット装置１２８が隣接されている場合について説明する。このカードユニット装置１２８は、前記上皿１９の上面に設けられる前述した球貸スイッチや返却スイッチ等の操作部を操作することにより作動されるものである。しかして、カードユニット装置１２８の表面側には、使用可能状態であるか否かを表示する使用可能表示器（図示しない）と、当該カードユニット装置１２８がいずれの側のパチンコ遊技機１に対応しているか否かを表示する連結台方向表示器（図示しない）と、記録媒体としての磁気カードを挿入するカード挿入口（図示しない）とが設けられている。そして、このように構成されるカードユニット装置１２８は、独自の制御回路によって制御されるものであるが、カードユニット配線を介して、後述する払出制御基板９８に接続されている。なお、カードユニット装置１２８をパチンコ遊技機１に内蔵してもよいし、カードユニット装置１２８を付設せず、カードによる球貸し機能を有しない弾球遊技機でもよい。また、本実施形態においては、遊技者に玉を貸し出す（球貸しする）ためのユニット装置としてカードユニット装置１２８を例示したが、たとえば、紙幣等を挿入し得るユニット装置であってもよい。
【００３３】
一方、パチンコ遊技機１の前面枠３の裏面には、図２に示すように、入賞球の発生に基づいて所定個数の賞球を払い出すための各種の機構を装備した機構板１４０が設けられるとともに、前記操作ハンドル３０に対応する位置に発射モータ６０１および打球槌（図示しない）を有する打球発射装置１３０が固着され、打球発射装置１３０の側方に機構板１４０の余剰玉通路を流下する賞球を前記下皿２７に誘導する接続樋３９２が固着されている。
【００３４】
また、前面枠３の裏面には、ほぼ正方形状に構成される遊技盤４０を収容するために段差状に形成された遊技盤収納枠部が設けられている（図示しない）。また、遊技盤収納枠部の左側方および右側方各々に２箇所ずつに、当該遊技盤収納枠部に収容された遊技盤４０の裏面を押圧固定するための遊技盤係止レバー３６６が取り付けられている。なお、遊技盤係止レバー３６６の取付位置は、このような位置に限られるものではなく、適宜箇所に設けられるものであればよい。なお、図２では、遊技盤４０が取り付けられていない状態を示しているが、遊技盤４０を遊技盤係止レバー３６６によって収容固定した状態においては、その裏面から機構板１４０により被覆されることとなる。遊技盤４０の裏面については、図３を用いて後述する。
【００３５】
また、外枠２に対する前面枠３の開放側裏面には、外枠２の掛止片に対する前面枠３の施錠および前面枠３に対する前面扉枠４の施錠を行なう金属製の施錠装置１２９が設けられている。
【００３６】
機構板１４０は、前面枠３の裏面側に一体的に形成される遊技盤収納枠部の一側側面上下において開閉自在に軸支され、また、遊技盤収納枠部の適宜位置に植立される機構板固定用突起を、機構板１４０に設けられる機構板係止用部材１６７の貫通孔に通して、当該機構板係止用部材１６７をスライドさせることにより、機構板１４０を閉じた状態で保持することができるようになっている。このように、本実施の形態においては、機構板係止用部材１６７を設けてスライド式を採用したため、機構板係止用部材１６７が外枠２の内壁に接触することがない。これにより、たとえば、機構板係止レバーを設けたレバー式を採用した従来のものと比較し、機構板１４０を閉じるときに、機構板係止用部材１６７が破損する不都合を未然に防止することができる。なお、機構板１４０は、前面枠３に対して固定されて開閉できないものであってもよい。
【００３７】
機構板１４０の上部構成部としては、多量の玉を貯留する賞球タンク１４７と、該賞球タンク１４７から供給される玉を誘導する誘導通路１４８ａと、誘導通路１４８ａにより誘導された玉の誘導方向を左右方向から上下方向へ転換するカーブレール部１４８ｂと、誘導された玉を払出す玉払出装置１５４とが設けられている。また、玉払出装置１５４の下方には、遊技球等貸出装置接続端子板ボックス１０３ａが取り付けられている。
【００３８】
また、機構板１４０には、カーブレール部１４８ｂの上方に設けられた後述する枠用外部端子板１０２が設けられている。また、賞球タンク１４７の左上部および枠用外部端子板１０２の右上部の機構板１４０の裏面には、それぞれ、第１ドア開放スイッチ１１１と、第２ドア開放スイッチ１１２とが設けられている。本実施の形態における第１ドア開放スイッチ１１１は、前面扉枠４と前面枠３とが開放したこと、および、機構板１４０と前面枠３とが開放したことを検出する。第２ドア開放スイッチ１１２は、前面枠３と外枠２とが開放したことを検出する。このように、第１ドア開放スイッチ１１１および第２ドア開放スイッチ１１２が備えられているため、外枠２，前面枠３および前面扉枠４の開放状態を検出することができる。
【００３９】
機構板１４０の下部構成部としては、背面から見てその右側部分に払出制御基板９８を収容する払出制御基板ボックス１２３が取り付けられるとともに、その下方に後述するプラ枠中継基板１０８が取り付けられ、背面から見てその左側部分に後述する電源基板９７を収容する電源基板ボックス１２２が取り付けられている。払出制御基板ボックス１２３は、払出制御基板ボックスベースに払出制御基板ボックスカバーを被せて、左に設けられたカシメ部にカシメビスを差し込み螺着し、その上からカシメキャップで封止することにより、カシメ部を切断しない限り、開封できないように構成されている（いずれも図示しない）。これにより、カシメ部が切断されているか否かにより、払出制御基板ボックス１２３が開封されたか否かを容易に判断することができる。
【００４０】
払出制御基板ボックス１２３が取り付けられる下部構成部の前面側（遊技盤４０と対面する機構板１４０の内側）には、入賞球を誘導する入賞球誘導通路（図示しない）とアウト球を誘導するアウト玉通路（図示しない）とが形成されている。
【００４１】
電源基板ボックス１２２は、内部に複数の電圧の異なる電源を生成する電源基板９７を収容するものである。電源基板９７には、パチンコ遊技機１全体の電源をＯＮ・ＯＦＦするための電源スイッチ、パチンコ遊技機１のすべての動作をクリアするためのクリアスイッチおよび管ヒューズ等が実装されている。
【００４２】
また、電源基板９７は、電源コード１１７が接続される電源コネクタが実装されている。電源コネクタに接続される電源コード１１７は、前記枠用外部端子板１０２の側方に形成される配線通し開口から機構板１４０の前面側に形成される配線通しに沿って左側板１４３側を通って機構板１４０の下部まで引き通されて電源コネクタに接続される。電源コード１１７によって供給される電圧は、ＡＣ２４Ｖの電圧であり、電源基板９７で生成される複数の電圧は、ＤＣ３０Ｖ、ＤＣ２１Ｖ、ＤＣ１２Ｖ、ＤＣ５Ｖの４種類である。ただし、他の基板に対してＡＣ２４Ｖも供給する。また、電源基板９７は、主基板１２０および払出制御基板９８の各ＣＰＵに駆動電源が供給されていない間、各基板１２０，９８のＲＡＭの記憶内容をバックアップ（保持）するために各基板１２０，９８にバックアップ電源を供給するようになっている。なお、電源基板９７から電源断信号が出力されることによって主基板１２０は、バックアップをするための処理を行なうようになっている。なお、払出制御基板９８にもバックアップする処理を行なってもよい。
【００４３】
また、前面枠３の背面から見て左上部分に、所定の基板から外した配線等を保持するための保持部材１６９が取り付けられている。保持部材１６９は、針金のように自由自在に形を変形させることができる金属の表面をビニールで被覆されている。保持部材１６９の一方端は、取付ビスにより前面枠３の後面に取り付けられており、他端を保持対象の配線に巻き付けるようにして、当該保持対象の配線を保持することができるように構成されている。
【００４４】
以上で、パチンコ遊技機１の全体の概略構成を説明したが、以下、パチンコ遊技機１を構成する要素のうち、遊技盤４０の表面および裏面の詳細な構成について説明する。
【００４５】
まず、図１を参照して、遊技盤４０は、前述した遊技盤収納枠部に収容固定されるべく、ほぼ正方形状の合板により形成されている。遊技盤４０の前面側には、円形状の遊技領域４１が形成される。遊技盤４０のほぼ中央には、遊技盤開口部（図示しない）が設けられている。遊技盤開口部には、表示領域８０を形成するための開口８４を有する装飾部材６６が取り付けられている。遊技者は、装飾部材６６の開口８４を介して、遊技盤４０の裏面側に取り付けられた後述の液晶表示装置４４ｂを視認することができる。また、遊技盤４０の表面には、ステンレス鋼板を円弧状に形成した誘導レール４２が取り付けられている。これにより、打球発射装置１３０から発射された金属製の玉は、該誘導レール４２により円形状の遊技領域４１内に導かれる。
【００４６】
遊技領域４１には、特別図柄表示装置４４ａ、液晶表示装置４４ｂ、特別可変入賞球装置４８、普通可変入賞球装置５８、普通図柄表示装置６３、および状態表示および連続作動回数表示器７等が視認可能に設けられるとともに、単に打球を入賞とする入賞口、打球の流下方向，速度を変化せしめる風車または多数の障害釘（図示しない）が設けられ、また、遊技領域４１の最下方には、いずれの入賞領域にも入賞しない打球が取り込まれるアウト口６９が設けられている。
【００４７】
遊技領域４１の構成をより詳細に説明すると、液晶表示装置４４ｂの左側方には、ゲートスイッチ６２が内蔵された通過ゲート６１が設けられている。このゲートスイッチ６２は、該ゲートスイッチ６２内を通過する打球を検出すると、その検出信号に基づいて通過ゲート６１の下方に備えられた普通図柄表示装置６３で普通図柄を変動表示（具体的には左右２箇所のＬＥＤを交互に点灯させる）して表示結果を導出する（いずれか一方を点灯させる）。そして、たとえば、普通図柄表示装置６３で左側のＬＥＤが点灯した場合には、普通図柄表示装置６３がはずれの表示結果を導出したことになる。一方、普通図柄表示装置６３で右側のＬＥＤが点灯した場合には、普通図柄表示装置６３が当りの表示結果を導出したことになり、普通可変入賞球装置５８が所定時間開放される。また、普通図柄表示装置６３の変動時間は、特別図柄表示装置４４ａにおける大当り図柄の出現確率が高くなる確率変動状態のときに相対的に短く（たとえば、３〜５秒）、確率変動状態のときと比較し特別図柄表示装置４４ａにおける大当り図柄の出現確率が低くなる通常遊技状態のときに相対的に長く（たとえば、３０秒）設定されている。
【００４８】
また、普通図柄表示装置６３の下方には、普通図柄表示装置６３の変動表示中にゲートスイッチ６２を通過した打球数を記憶表示する普通図柄始動記憶ＬＥＤ６４（最高４個まで記憶表示する）が設けられている。この普通図柄始動記憶ＬＥＤ６４は、４個のＬＥＤから構成されている。
【００４９】
また、装飾部材６６内の右上方に搭載されている特別図柄始動記憶ＬＥＤ４６は、特別図柄の変動動作中に後述する第１始動口スイッチ６０ａまたは第２始動口スイッチ６０ｂによって検出された球数を記憶表示する（最高４個まで記憶表示する）。この特別図柄始動記憶ＬＥＤ４６は、４個のＬＥＤから構成されている。なお、特別図柄始動記憶ＬＥＤ４６においては、始動記憶数の上限値を一定の４個としているが、これに限らず、予め定めた所定条件の成立に伴って始動記憶数の上限値を変更可能（たとえば、確変大当りした場合には、２０個に増加する等）に構成してもよい。
【００５０】
普通可変入賞球装置５８は、遊技領域４１のほぼ中央に視認可能に配置される液晶表示装置４４ｂと、アウト口６９の上方に配置される特別可変入賞球装置４８との間に配置され、ソレノイド５９によって開閉片が開閉駆動される電動チューリップタイプの可変入賞球装置である。そして、普通可変入賞球装置５８には、第１始動口スイッチ６０ａおよび第２始動口スイッチ６０ｂが内蔵されている。
【００５１】
第１始動口スイッチ６０ａは、普通可変入賞球装置５８の上部に設けられている第１始動口５８ａから受け入れた入賞球を検出するようになっている。一方、第２始動口スイッチ６０ｂは、ソレノイド５９によって開閉片が開放中であるときに第２始動口５８ｂから受け入れた入賞球を検出するようになっている。しかして、打球が第１始動口スイッチ６０ａまたは第２始動口スイッチ６０ｂによって検出されると特別図柄表示装置４４ａにおいて特別図柄が変動開始し、液晶表示装置４４ｂにおいて遊技の進行に応じた遊技の演出として飾り図柄が変動開始する等の画像による演出が開始される。このように、第１始動口スイッチ６０ａおよび第２始動口スイッチ６０ｂは、特別図柄表示装置４４ａにおいて変動表示をさせるための始動機能を兼用している。なお、普通可変入賞球装置５８の開放時間は、通常遊技状態のときに相対的に短く（たとえば、０．５秒）、確率変動状態のときに相対的に長く（たとえば、２秒）設定されている。また、普通可変入賞球装置５８が開放していない場合でも、普通可変入賞球装置５８の上部に設けられている第１始動口５８ａから打球を受け入れるようになっている。
【００５２】
装飾部材６６内の右上方に搭載されている特別図柄表示装置４４ａは、「０」〜「９」の特別図柄を変動表示する７セグメントＬＥＤを備えた表示器である。そして、特別図柄表示装置４４ａの変動停止時における特別図柄が予め定めた大当り図柄（たとえば、「３」，「７」）である場合に、所定の遊技価値の付与として特定遊技状態（以下、大当りという）を発生して、特別可変入賞球装置４８を特定態様で開閉駆動するものである。ただし、大当り図柄の一部（たとえば、「７」）は、確率変動図柄（以下、確変図柄ともいう）として設定され、この確率変動図柄で大当りとなったときには、その大当り終了後における前記普通図柄表示装置６３での普通図柄の変動時間の短縮や当り（当りの点灯）の出現確率や特別図柄表示装置４４ａにおける大当り図柄の出現確率が高くなる確率変動状態となるように設定されている。
【００５３】
装飾部材６６内のほぼ中央に配置されている液晶表示装置４４ｂは、「０」〜「９」の飾り図柄を左・中・右において個々に変動表示する変動表示領域を備えた表示領域８０が形成された液晶タイプの表示器である。液晶表示装置４４ｂで変動表示される飾り図柄とは、特別図柄表示装置４４ａにおける特別図柄の変動表示の装飾効果を高めるために特別図柄の変動表示と所定の関係を有して変動表示される装飾的な意味合いがある図柄をいう。所定の関係には、たとえば、特別図柄の変動表示が開始されたときに飾り図柄の変動表示が開始される関係や、特別図柄の変動表示が終了し表示結果が表示されたときに飾り図柄の変動表示が終了し表示結果が表示される関係等が含まれる。特別図柄表示装置４４ａの表示結果が大当り図柄の場合には、液晶表示装置４４ｂの表示結果も大当りが発生する予め定めた大当り図柄の組合せ（たとえば、同一の図柄が当りラインのいずれかに揃った場合）となるように制御され、両表示結果の整合性が保たれるように制御される。
【００５４】
大当りとなったときに駆動制御される特別可変入賞球装置４８は、ソレノイド６５によって開閉駆動される開閉板４９を有し、その開閉板４９に受け入れられた打球を検出する入賞個数検出器５２が設けられている。しかして、大当りとなった場合には、一定時間（たとえば、２８秒）が経過するまで、またはその一定時間内に所定個数（たとえば、１０個）の入賞球が入賞するまで、開閉板２５を開放する開放サイクルを所定回数（たとえば、１５回）繰り返すことができるようになっている。
【００５５】
なお、本発明の大当りは、上記に限らず以下に示す（１）〜（５）の制御のうちいずれか１つの制御又は組合せた制御を実行する状態であればよい。
【００５６】
（１）  打球の入賞を容易にする第一の状態と、打球が入賞できない又は入賞し難い第二の状態と、に変化可能な可変入賞球装置に対して所定時間連続的又は間欠的に第一の状態にする制御
（２）  特定の入賞又は通過領域での打球の検出を介在させ、打球の入賞を容易にする
第一の状態と、打球が入賞できない又は入賞し難い第二の状態と、に変化可能な可変入賞球装置に対して所定時間連続的又は間欠的に第一の状態にする制御
（３）  打球の入賞に関わらず所定数の景品球を直接排出する制御
（４）  有価価値を有する記憶媒体（カードやレシート等）に対して有価数を加算する制御
（５）  得点があることに基づいて遊技可能なパチンコ遊技機に対して得点を付与する制御
また、特別可変入賞球装置４８の左右には、入賞球検出器５６ａ，５６ｂを内蔵する通常入賞口５４ａ，５４ｂが設けられ、該通常入賞口５４ａの左上方には、入賞球検出器５５ａ，５５ｂを内蔵する通常入賞口５３ａ，５３ｂが設けられている。
【００５７】
上記したように、打球が入賞するすべての入賞口および入賞装置には、入賞球を検出する入賞球検出器としての各スイッチ５２，５５ａ，５５ｂ，５６ａ，５６ｂ，６０ａ，６０ｂが設けられているが、これは、これらの検出信号に基づいて所定個数の賞球を払い出すために使用されるものである。なお、入賞球または進入球を検出するが、賞球を払い出さないスイッチ６２も設けられている。また、遊技盤４０（装飾部材６６を含む）には、装飾効果を高めるための装飾ＬＥＤあるいは装飾ランプが複数設けられている。
【００５８】
次に、遊技盤４０の裏面の構成について図３〜図７を参照して説明する。図３は、遊技盤４０の拡大背面図である。図４は、遊技盤４０に取り付けられる裏パック８１ａおよび入賞球誘導カバー体８２を説明するための斜視図である。図５は、裏パック８１ａに取り付けられる液晶ボックス８１ｂおよび演出制御基板ボックス１２５と、入賞球誘導カバー体８２に取り付けられる主基板ボックス１３６とを説明するための斜視図である。図６は、液晶ボックス８１ｂの構造および液晶ボックス８１ｂに取り付けられる枠ランプ中継基板カバー体９９ａ、インバータ基板ボックス８８ａ、およびスケーラ基板ボックス９１ａを説明するための斜視図である。図７は、液晶ボックス８１ｂに枠ランプ中継基板カバー体９９ａ、インバータ基板ボックス８８ａ、およびスケーラ基板ボックス９１ａが一体的に取り付けられた状態を説明するための斜視図である。
【００５９】
まず、図３を参照して、遊技盤４０の裏面には、その中央部分に裏パック８１ａが、下方部分に入賞球誘導カバー体８２が、各々取り付けられている。裏パック８１ａは、液晶表示装置４４ｂ等の後述する複数の部材を遊技盤４０の裏面に取り付けるための部材である。入賞球誘導カバー体８２は、主基板１２０を収容する主基板ボックス１３６等を遊技盤４０の裏面に取り付けるための部材である。主基板１２０には、各種スイッチからの入力信号に基づき特別図柄表示装置４４ａおよび普通図柄表示装置６３における変動表示、特別可変入賞球装置４８および普通可変入賞球装置５８の開閉等を制御するとともに情報信号を出力する遊技制御用マイクロコンピュータが搭載されている。
【００６０】
ここで、図４を参照して裏パック８１ａおよび入賞球誘導カバー体８２について説明する。裏パック８１ａおよび入賞球誘導カバー体８２は、各々、遊技盤４０の裏面側において取付ビスにより組み付けられる。
【００６１】
裏パック８１ａの中央には、液晶表示装置４４ｂの表示部を臨ませるための開口４５が形成されている。裏パック８１ａの開口４５は、遊技盤４０に対して予め定められた位置に取り付けられた際に、前述した表示領域８０を形成する装飾部材６６の壁面が入り込むように構成されている。これにより、遊技者は、前述したように、装飾部材６６の開口８４を介して、裏パック８１ａの後面側に配置される液晶表示装置４４ｂを視認することができる。
【００６２】
裏パック８１ａの右上方には、盤用外部端子板収容ボックス３８３が一体的に形成されている。盤用外部端子板収容ボックス３８３内には、盤用外部端子板９６が収容して取り付けられている。この盤用外部端子板９６は、パチンコ遊技機１の営業管理上必要な遊技情報（たとえば、大当り遊技状態中である旨を報知する大当り１情報、確率変動図柄で大当り遊技状態となり、その大当り状態中およびその大当りによる確率変動中である旨を報知する大当り２情報（大当り中と確率変動中に出力され続ける信号）、確率変動図柄による大当り状態終了後の確率変動中である旨を報知する確率変動情報、始動球検出器をＯＮした打球の数を報知する始動口情報、特別変動表示装置の変動動作回数を報知する図柄確定回数１情報、普通変動表示装置の変動動作回数を報知する図柄確定回数２情報、および普通可変入賞球装置の開閉回数を報知する役物回数２情報等）を遊技場に設置される管理コンピュータに出力するための外部接続端子（図示しない）を有し、これらの情報が主基板１２０から与えられるようになっている。さらに、どの図柄で大当りしたか、どの図柄で停止したか等の情報を出力するようにしてもよい。
【００６３】
裏パック８１ａには、図５に示すように液晶表示装置４４ｂの後面を被覆するための液晶ボックス８１ｂが、取付ビスにより取り付けられるように構成されている。液晶ボックス８１ｂは、液晶表示装置４４ｂの後面を被覆するとともに、当該液晶表示装置４４ｂを遊技盤４０に取り付けるための部材である。
【００６４】
ここで、図６を参照して、液晶ボックス８１ｂの構造および液晶ボックス８１ｂに取り付けられる枠ランプ中継基板カバー体９９ａ、インバータ基板ボックス８８ａ、およびスケーラ基板ボックス９１ａを説明する。
【００６５】
液晶ボックス８１ｂは、液晶表示装置４４ｂを取付可能に構成されるとともに、液晶表示装置４４ｂの後面側を被覆するように構成されている。本実施の形態における液晶表示装置４４ｂは、液晶ボックス８１ｂに取り付け、該液晶ボックス８１ｂを裏パック８１ａに取り付けることにより、開口４５を介して遊技者が表示部を視認可能な状態で固定される。しかし、このようなものに限らず、液晶表示装置４４ｂは、裏パック８１ａに取り付けることにより、液晶ボックス８１ｂが裏パック８１ａに取り付けられているか否かに関わらず、開口４５を介して遊技者が表示部を視認可能な状態で固定されるものであってもよい。
【００６６】
液晶ボックス８１ｂの後面には、凹凸面が形成されており、上方の凹面に枠ランプ中継基板９９を取り付けるための枠ランプ中継取付部９９ｂが形成されている。
【００６７】
また、中央の左右側方の凸面には、演出制御基板ボックス１２５を取り付けるための第１演出制御基板ボックス取付部１２６ａおよび第２演出制御基板ボックス取付部１２６ｂが形成されている。第１演出制御基板ボックス取付部１２６ａと第２演出制御基板ボックス取付部１２６ｂとの間に挟まれた凹面には、スケーラ基板９１を収容するスケーラ基板ボックス９１ａを取り付けるためのスケーラ基板ボックス取付部９１ｂが形成されている。すなわち、第１演出制御基板ボックス取付部１２６ａおよび第２演出制御基板ボックス取付部１２６ｂは、スケーラ基板ボックス取付部９１ｂを間に挟む位置に形成されている。さらに、下方の凹面には、インバータ基板８８を収容するインバータ基板ボックス８８ａを取り付けるためのインバータ基板ボックス取付部８８ｂが形成されている。なお、凹面とは、周囲（凸面）よりも低く落ち込ませた面をいう。
【００６８】
枠ランプ中継基板９９は、電源基板９７で生成された各種遊技効果ＬＥＤランプおよびスピーカ１２ａ，１２ｂを駆動させるための電源であって後述する周辺電源中継基板４７および音声枠ランプ基板９２を介して供給される電源を、前面枠３に取り付けられている前板中継基板１００（図１１参照）に中継するための基板である。スケーラ基板９１は、演出制御基板９０からインバータ基板８８へ送信される信号を中継するとともに、演出制御基板９０からの情報信号の種類に応じて液晶表示装置４４ｂの表示部に表示させる画像の拡大および縮小させるためのマイクロコンピュータを搭載した基板である。インバータ基板８８は、スケーラ基板９１からの情報信号の種類に応じて、液晶表示装置４４ｂに備えられたバックライトを制御することにより、輝度を調整するための基板である。
【００６９】
枠ランプ中継基板９９は、液晶ボックス８１ｂの上方において枠ランプ中継基板９９を被覆して収容するための枠ランプ中継基板カバー体９９ａにより、枠ランプ中継取付部９９ｂに取り付けられる。図６に示すように、枠ランプ中継基板カバー体９９ａの左右側方には、係合片９００、９０１が形成されており、下方には、突起部９０２、９０３が形成されている。一方、枠ランプ中継取付部９９ｂには、枠ランプ中継基板カバー体９９ａの係合片９００、９０１が係合するスライド穴９０４、９０５が形成されており、係合片９００、９０１をスライド穴９０４、９０５に係合させた状態で枠ランプ中継基板カバー体９９ａを下方向にスライドさせたときに枠ランプ中継基板カバー体９９ａの突起部９０２、９０３が挿通する挿通穴９０６、９０７が形成されており、さらに枠ランプ中継基板カバー体９９ａの突起部９０２、９０３が挿通穴９０６、９０７に挿通されたときに枠ランプ中継基板カバー体９９ａの上面を係止する係止片９０８が形成されている。このため、枠ランプ中継基板９９を収容させた枠ランプ中継基板カバー体９９ａの係合片９００、９０１を枠ランプ中継取付部９９ｂのスライド穴９０４、９０５に挿入させた後、枠ランプ中継基板カバー体９９ａを下方にスライドさせて突起部９０２、９０３を挿通穴９０６、９０７に挿通させることにより、枠ランプ中継基板カバー体９９ａの上面が係止片９０８により係止され、枠ランプ中継基板９９を枠ランプ中継取付部９９ｂに取り付けることができる。係止片９０８を撓ませて、枠ランプ中継基板カバー体９９ａを上方にスライドさせることにより、取り外すことができる。
【００７０】
枠ランプ中継取付部９９ｂには、さらに、液晶表示装置４４ｂからの配線を通す通し穴７０が設けられている。また、枠ランプ中継基板カバー体９９ａの突起部９０３の左側は、通し穴７０からの配線をスケーラ基板ボックス取付部９１ｂ側へ通すことができるように形成されている。これにより、枠ランプ中継基板カバー体９９ａを枠ランプ中継取付部９９ｂに取り付けたままの状態で、通し穴７０からの配線を枠ランプ中継基板カバー体９９ａの外部に配置される基板等に接続することができる。図７に示すように、通し穴７０からの配線は、スケーラ基板９１に接続される。
【００７１】
また、枠ランプ中継基板カバー体９９ａには、枠ランプ中継基板９９に設けられている接続用のコネクタを臨ませる開口９０９が形成されている。このため、枠ランプ中継基板カバー体９９ａを枠ランプ中継取付部９９ｂに取り付けたままの状態で、枠ランプ中継基板９９に設けられている基板側コネクタに挿された配線の配線側コネクタ（図７参照）を抜くことができる。
【００７２】
さらに、枠ランプ中継基板カバー体９９ａは、枠ランプ中継基板９９以外の基板を収容するためのスペースが、枠ランプ中継基板９９が収容される右側に予め設けられている。また、当該スペースに収容する基板に設けられている接続用のコネクタを望ませるための開口７１が形成されている。これにより、将来的に基板が増加される場合であっても、スムーズに対応することができる。
【００７３】
次に、図５に示すスケーラ基板ボックス９１ａは、スケーラ基板ボックス取付部９１ｂに取り付けるための主体と、該主体に組み付けることによりスケーラ基板９１を被覆して収容する蓋体とから構成されている。
【００７４】
スケーラ基板ボックス９１ａの主体には、係合片９１０、９１１、９１２、９１３が形成されている。一方、スケーラ基板ボックス取付部９１ｂには、スケーラ基板ボックス９１ａの係合片９１０、９１１、９１２、９１３が係合するスライド穴９１４、９１５、９１６、９１７が形成されており、さらにスケーラ基板ボックス９１ａをスライドさせたときにスケーラ基板ボックス９１ａの主体の底面に形成されている係止溝に係止する係止片９１８が形成されている。このため、スケーラ基板９１を収容させたスケーラ基板ボックス９１ａの係合片９１０、９１１、９１２、９１３をスケーラ基板ボックス取付部９１ｂのスライド穴９１４、９１５、９１６、９１７に挿入させた後、スケーラ基板ボックス９１ａを左方にスライドさせることにより、スケーラ基板ボックス９１ａの主体の底面に形成された係止溝が係止片９１８により係止され、スケーラ基板ボックス９１ａをスケーラ基板ボックス取付部９１ｂに取り付けることができる。なお、係止片９１８の右端を押圧することにより撓ませて、スケーラ基板ボックス取付部９１ｂを右方にスライドさせることにより、取り外すことができる。
【００７５】
インバータ基板ボックス８８ａは、インバータ基板ボックス取付部８８ｂに取り付けるための主体と、該主体に組み付けることによりインバータ基板８８を被覆して収容する蓋体とから構成されている。
【００７６】
インバータ基板ボックス８８ａの主体には、突起部９２０、９２１が形成されている。一方、インバータ基板ボックス取付部８８ｂには、インバータ基板ボックス８８ａの突起部９２０を嵌め込む嵌め込み部９２２と、インバータ基板ボックス８８ａの突起部９２０を嵌め込み部９２２に嵌め込んだ状態でインバータ基板ボックス８８ａを押し込ませることによりインバータ基板ボックス８８ａの突起部９２１の上面を係止する係止片９２３とが形成されている。このため、インバータ基板ボックス８８ａの突起部９２０を嵌め込み部９２２に嵌め込んだ状態でインバータ基板ボックス８８ａを押し込ませることにより、インバータ基板ボックス８８ａが係止片９２３により係止され、インバータ基板ボックス８８ａをインバータ基板ボックス取付部８８ｂに取り付けることができる。なお、係止片９２３を撓ませることにより、係止片９２３による係止が解除されて、インバータ基板ボックス８８ａを取り外すことができる。
【００７７】
なお、インバータ基板８８には、輝度のレベルを調整するためのレベル調整スイッチ８８ｃが搭載されている。また、インバータ基板ボックス８８ａには、当該ボックスに収容されているインバータ基板８８のレベル調整スイッチ８８ｃが操作可能となるように、当該レベル調整スイッチ８８ｃの操作部用穴が形成されている。
【００７８】
以上のようにして、液晶ボックス８１ｂに枠ランプ中継基板カバー体９９ａ、インバータ基板ボックス８８ａ、およびスケーラ基板ボックス９１ａが取り付けられると、図７に示す状態になる。本実施の形態においては、枠ランプ中継基板カバー体９９ａ、インバータ基板ボックス８８ａ、およびスケーラ基板ボックス９１ａが一体的に取り付けられた液晶ボックス８１ｂに、さらに図５に示すように演出制御基板ボックス１２５が取り付けられる。
【００７９】
ここで、図５および図６を参照して、演出制御基板ボックス１２５の構造を説明する。演出制御基板ボックス１２５は、液晶ボックス８１ｂの第１演出制御基板ボックス取付部１２６ａおよび第２演出制御基板ボックス取付部１２６ｂに取り付けるための主体と、該主体に組み付けることにより、図１１を用いて後述するランプドライバ基板９３と、音声枠ランプ基板９２と、演出制御基板９０とを被覆して収容する蓋体とから構成されている。なお、演出制御基板９０には、液晶表示装置４４ｂにおける飾り図柄の変動表示を制御するための演出制御用マイクロコンピュータが搭載されている。また、音声枠ランプ基板９２には、主基板１２０からの情報信号の種類に応じて、遊技効果ＬＥＤ１３，１４ａ，１４ｃ、遊技効果ランプ１４ｂ，１４ｄ，１６ａ，１６ｂ，１７ａ，１７ｂの点灯または点滅、およびスピーカ１２ａ，１２ｂからの効果音を制御するための音声枠ランプ制御用マイクロコンピュータが搭載されている。音声枠ランプ基板９２は、遊技盤４０に設けられる装飾ランプ、装飾ＬＥＤ、および前面枠３に設けられる遊技効果ＬＥＤや遊技効果ランプ、スピーカ１２ａ，１２ｂ等を主基板１２０からの情報信号に応じて一括して駆動制御するものである。また、音声枠ランプ基板９２には、音量を切り替える音量切替スイッチが設けられている。演出制御基板９０は、液晶表示装置４４ｂの変動表示動作を主基板１２０からの情報信号の種類に応じて駆動制御するものであり、音声枠ランプ基板９２との情報信号のやり取りを行なうものである。ランプドライバ基板９３は、遊技盤４０に設けられる装飾ランプおよび装飾ＬＥＤの点灯状態を制御するための後述するランプ中継基板８９と音声枠ランプ基板９２との接続を中継するものである。
【００８０】
演出制御基板ボックス１２５の主体には、図５に示すように係合片９３０、９３１、９３２、９３３が形成されている。一方、第１演出制御基板ボックス取付部１２６ａには、演出制御基板ボックス１２５の係合片９３０、９３１が係合するスライド穴９３４、９３５が形成されている。また、第２演出制御基板ボックス取付部１２６ｂには、演出制御基板ボックス１２５の係合片９３２、９３３が係合するスライド穴９３６、９３７が形成され、さらに演出制御基板ボックス１２５を所定位置までスライドさせたときに演出制御基板ボックス１２５の左側面を係止する係止片９３８が形成されている。このため、演出制御基板ボックス１２５の係合片９３０、９３１、９３２、９３３をスライド穴９３４、９３５、９３６、９３７に挿入させた後、演出制御基板ボックス１２５を右方にスライドさせることにより、演出制御基板ボックス１２５の左側面が係止片９３８により係止され、演出制御基板ボックス１２５を第１演出制御基板ボックス取付部１２６ａおよび第２演出制御基板ボックス取付部１２６ｂに取り付けることができる。なお、係止片９３８を撓ませて、演出制御基板ボックス１２５を左方にスライドさせることにより、取り外すことができる。
【００８１】
また、演出制御基板ボックス１２５の蓋体には、凹部が形成されている。凹部には電源中継基板４７と周辺コマンド中継基板５７とが収容され、その上からカバー部材１２５ｂが取り付けられている。なお、カバー部材１２５ｂを取り付けたときには、当該カバー部材１２５ｂの面と演出制御基板ボックス１２５の蓋体の面とが揃うように形成されている。周辺電源中継基板４７は、音声枠ランプ基板９２へ供給する電力を中継するものである。周辺コマンド中継基板５７は、演出制御基板９０へ出力する情報信号を中継するものである。
【００８２】
以上、図３で示した裏パック８１ａに組み付けられる構成について説明したように、本実施の形態における液晶ボックス８１ｂの後面側には、複数の基板が積層して取り付けられている。ここで、図３で示すＶＩＩＩ−ＶＩＩＩ断面における基板の積層状態をまとめて説明する。図８は、図３に示すＶＩＩＩ−ＶＩＩＩ断面を説明するための概略断面図である。
【００８３】
図８に示すように、遊技盤４０の後面側には、裏パック８１ａが取付ビスで取り付けられている。また、裏パック８１ａの後面側には、液晶表示装置４４ｂが取り付けられた液晶ボックス８１ｂが取付ビスで取り付けられている。さらに、液晶ボックス８１ｂの後面側には、凹面にスケーラ基板ボックス９１ａが取り付けられ、凸面に演出制御基板ボックス１２５が取り付けられている。これにより、スケーラ基板ボックス９１ａに収容されているスケーラ基板９１と、演出制御基板ボックス１２５に収容されているランプドライバ基板９３と音声枠ランプ基板９２と演出制御基板９０とをパチンコ遊技機１の奥行き方向に積層させて、液晶ボックス８１ｂの後面側に取り付けることができる。
【００８４】
また、演出制御基板ボックス１２５の凹部には、電源中継基板４７と周辺コマンド中継基板５７とが収容されている。これにより、スケーラ基板９１、ランプドライバ基板９３、音声枠ランプ基板９２、および演出制御基板９０に加えて、電源中継基板４７と周辺コマンド中継基板５７とをパチンコ遊技機１の奥行き方向に積層させて、液晶ボックス８１ｂの後面側に取り付けることができる。
【００８５】
次に、図３で示した入賞球誘導カバー体８２に組み付けられる構成等について説明する。図３を参照して、入賞球誘導カバー体８２は、箱型形状のカバー部材であり、遊技盤４０の裏面と入賞球誘導カバー体８２との間に設けられている特別可変入賞球装置４８、普通可変入賞球装置５８、および各種基板等をカバーする。入賞球誘導カバー体８２の後面の中央部分には、開口８３が形成されており、当該開口８３から、遊技盤４０の裏面と入賞球誘導カバー体８２との間に設けられた特別可変入賞球装置４８、普通可変入賞球装置５８、および各種基板等のメンテナンスを行なうことができるように構成されている。
【００８６】
また、入賞球誘導カバー体８２の後面には、左方において主基板ボックス１３６を回動自在に支持するための軸穴が形成された支持部８２ａが、右方において支持部８２ａにより支持される主基板ボックス１３６の回動を固定するための固定部８２ｂが形成されている。
【００８７】
ここで、図３および図５を参照して主基板ボックス１３６を説明する。主基板ボックス１３６は、入賞球誘導カバー体８２の後面に取り付けるための主体と、該主体に組み付けられることにより主基板１２０を被覆して収容する蓋体とから構成されている。
【００８８】
主基板ボックス１３６の主体には、図５に示すように支持部８２ａの穴に挿通される軸棒が形成された取付部９４０が形成され、固定部８２ｂにより固定される固定片９４１が形成されている。主基板ボックス１３６は、取付部９４０の軸棒を入賞球誘導カバー体８２に形成されている支持部８２ａの穴に挿通することにより、回動自在に支持される。また、主基板ボックス１３６は、固定片９４１を入賞球誘導カバー体８２に形成されている固定部８２ｂにより固定することにより回動が固定された状態で、入賞球誘導カバー体８２の後面に取り付けられる。なお、固定部８２ｂによる固定を解除することにより、主基板ボックス１３６を背面側に開くことができる。このように構成したため、特別可変入賞球装置４８や普通可変入賞球装置５８等のメンテナンスを行ないやすくすることができる。本実施の形態においては、主基板１２０が、遊技盤４０に取り付けられているため、新しい遊技盤に取り替えるときに、遊技盤自体を取り替えることにより、併せて主基板１２０を取り替えることができる。
【００８９】
また、主基板ボックス１３６は、図３に示すように、前述した主体および蓋体と、主体に蓋体を固く密着させるカシメビス１３６ｃと、カシメキャップ１３６ｄとから構成されている。主基板ボックス１３６は、主基板ボックスベース１３６ａに主基板ボックスカバー１３６ｂを被せて、左右に設けられたカシメ部１３６ｅにカシメビス１３６ｃを差し込み螺着し、その上からカシメキャップ１３６ｄで封止することにより、カシメ部１３６ｅを切断しない限り、開封できないように構成されている。これにより、カシメ部１３６ｅが切断されているか否かにより、主基板ボックス１３６が開封されたか否かを容易に判断することができる。
【００９０】
以上、図３で示した裏パック８１ａおよび入賞球誘導カバー体８２に組み付けられる構成について説明したが、遊技盤４０の裏面には、上述した基板等以外にも各種基板が取り付けられている。
【００９１】
たとえば、遊技盤４０の裏面に取り付けられる各種基板には、特別図柄および特別図柄記憶基板８５、普通図柄および普通図柄記憶基板８６、状態表示および連続作動回数表示基板８７、図柄中継基板８４、ランプ中継基板８９、スイッチ中継基板９５、および、装飾効果を高めるための装飾ＬＥＤあるいは装飾ランプが実装された複数の基板が含まれる（図１１参照）。
【００９２】
特別図柄および特別図柄記憶基板８５は、主基板１２０からの情報信号に応じて、特別図柄表示装置４４ａの表示状態と、特別図柄始動記憶ＬＥＤ４６を制御するためのものである。普通図柄および普通図柄記憶基板８６は、主基板１２０からの情報信号に応じて、普通図柄表示装置６３の表示状態と、普通図柄始動記憶ＬＥＤ６４を制御するためのものである。
【００９３】
図柄中継基板８４は、主基板１２０から特別図柄および特別図柄記憶基板８５、普通図柄および普通図柄記憶基板８６へ送信される信号を中継する。ランプ中継基板８９は、ランプドライバ基板９３から装飾ＬＥＤあるいは装飾ランプが実装された複数の基板へ送信される信号を中継する。
【００９４】
スイッチ中継基板９５は、前述したように、遊技盤４０に設けられる各スイッチ５２，５５ａ，５５ｂ，５６ａ，５６ｂ，６２および各ソレノイド５９，６５と主基板１２０との接続を中継するものである。
【００９５】
次に、液晶ボックス８１ｂの凹面に取り付けられるスケーラ基板９１に実装されている基板側コネクタについて説明する。スケーラ基板９１に実装されている基板側コネクタの一例として、図７で示すＩＸ−ＩＸ断面を説明する。図９は、図７で示すＩＸ−ＩＸ断面を説明するための概略断面図である。図９においては、スケーラ基板９１と、スケーラ基板９１に実装されている基板側コネクタ７６と、基板側コネクタ７６に接続される配線側コネクタ７７と、配線側コネクタ７７に接続されている配線７８とが示されている。そして、図９（ａ）は、配線側コネクタ７７を基板側コネクタ７６に挿した状態を示している。図９（ｂ）は、基板側コネクタ７６から配線側コネクタ７７を抜いた状態を示している。配線側コネクタ７７は、基板側コネクタ７６に対して配線側コネクタ７７をスケーラ基板９１の面に沿って左方向に引っ張ることにより、基板側コネクタ７６から抜けた状態になる。また、配線側コネクタ７７が抜けた状態から、基板側コネクタ７６に対して配線側コネクタ７７をスケーラ基板９１の面に沿って右方向に押し込むことにより、基板側コネクタ７６に挿した状態になる。このように、基板側コネクタ７６は、配線側コネクタ７７を抜き挿しする方向がスケーラ基板９１の面に沿った方向となるように、スケーラ基板９１に実装されている。
【００９６】
次に、前面枠３の背面から見て左上部分に取り付けられる保持部材１６９について説明する。図１０は、保持部材および保持対象の配線を説明するための概略図である。本実施の形態における保持対象の配線としては、図１０に示すように、前述した枠ランプ中継基板９９の基板側コネクタ７２に接続される配線側コネクタ７５および当該配線側コネクタ７５に接続されている配線７４を一例として説明する。なお、配線７４の他端側は、前面枠３の前面に取り付けられる前板中継基板１００に接続されている。
【００９７】
図１０（ａ）に示すように、前面枠３の後面側に保持部材１６９が取り付けられており、その右側方に前面枠３を前後方向に貫通した貫通孔７３が形成されている。貫通孔７３から通された配線７４の配線側コネクタ７５は、遊技盤係止レバー３６６により固定される遊技盤４０の後面に取り付けられる枠ランプ中継基板９９に実装されている基板側コネクタ７２に挿されて接続される。
【００９８】
図１０（ｂ）は、たとえば遊技盤４０の交換等、遊技盤係止レバー３６６による固定が解除されて、遊技盤４０が前面枠３から取り外された状態を示している。遊技盤４０を前面枠３から取り外す際には、まず、遊技盤４０の後面に取り付けられる枠ランプ中継基板９９に実装されている基板側コネクタ７２から配線側コネクタ７５が抜かれる。次に、抜かれた配線側コネクタ７５および配線７４をまとめて、保持部材１６９により保持する。これにより、遊技盤係止レバー３６６による固定を解除して、遊技盤４０を前面枠３から取り外す際に、抜いた配線側コネクタ７５および配線７４が貫通孔７３から下に垂れた状態にさせてしまうことなく、保持部材１６９により浮かせた状態に保持させておくことができるため、遊技盤４０の取り替えをスムーズに行なうことができる。
【００９９】
以上、パチンコ遊技機１の構成、および遊技盤４０の構成について説明してきたが、次に、配線接続される回路構成について、図１１を参照して説明する。図１１は、主基板１２０と各種制御基板および電気部品との関係を示すブロック図である。
【０１００】
主基板１２０には、プログラムに従ってパチンコ遊技機１を制御する遊技制御用マイクロコンピュータが搭載されている。遊技制御用マイクロコンピュータは、ゲーム制御用のプログラム等を記憶するＲＯＭワークメモリとして使用される記憶手段としてのＲＡＭ、プログラムに従って遊技の信号を制御するＣＰＵ、および演出制御基板９０等に情報信号（制御信号、コマンド等）を送信するＩ／Ｏポート部を含む。この実施の形態では、ＲＯＭ，ＲＡＭはＣＰＵに内蔵されている。すなわち、ＣＰＵは、１チップマイクロコンピュータである。なお、ＣＰＵはＲＯＭに格納されているプログラムに従って制御を実行するので、以下、ＣＰＵが実行する（または、処理を行なう）ということは、具体的には、ＣＰＵがプログラムに従って制御を実行することである。このことは、主基板１２０以外の他の基板（演出制御基板９０、音声枠ランプ基板９２）に搭載されているＣＰＵについても同様である。また、この実施の形態で用いられる遊技制御用マイクロコンピュータとは、主基板１２０に搭載されるＣＰＵ、ＲＯＭ、ＲＡＭ、Ｉ／Ｏポート部等の周辺回路のことである。
【０１０１】
主基板１２０には、遊技盤４０に設けられる各スイッチ５２，５５ａ，５５ｂ，５６ａ，５６ｂ，６２からの信号がスイッチ中継基板９５を介して入力されるとともに第１始動口スイッチ６０ａおよび第２始動口スイッチ６０ｂからの信号も入力され、また、賞球が払出されて上皿１９および下皿２７が満杯になったか否かを検出する満タンスイッチ１５８、および玉払出装置１５４により払出す球の有無を検出する球切れスイッチ１５７からの信号がサンパック中継基板１０１および払出制御基板９８を介して入力される。さらに、主基板１２０には、払出中継基板１１３および払出制御基板９８を介して、玉払出装置１５４により払出された球を検出する払出個数カウントスイッチ１１６からの信号が入力される。
【０１０２】
上記した入力信号のうち、遊技盤４０に設けられる各スイッチ５２，５５ａ，５５ｂ，５６ａ，５６ｂ，６２からの入力信号に基づいて主基板１２０は、遊技盤４０に設けられるソレノイド５９，６５を駆動制御するとともに、遊技状態に応じた情報信号（電飾信号および効果音信号）を周辺コマンド中継基板５７および演出制御基板９０を介して音声枠ランプ基板９２に出力し、さらに、大当り表示制御信号あるいはリーチ表示制御信号又は外れ情報信号（表示制御信号）を図柄中継基板８４および演出制御基板９０に出力し、盤用外部端子板９６に各種の遊技情報を出力する。
【０１０３】
音声枠ランプ基板９２は、主基板１２０から入力される電飾信号の種類に応じて、枠ランプ中継基板９９および前板中継基板１００を介して、前面枠３に取り付けられている遊技効果ＬＥＤおよび遊技効果ランプの点灯制御を行なう。また、音声枠ランプ基板９２は、主基板１２０から入力される効果音信号の種類に応じて、枠ランプ中継基板９９および前板中継基板１００を介して、スピーカ１２ａ，１２ｂを制御する。なお、図１０で示した配線７４は、枠ランプ中継基板９９と前板中継基板１００とを接続する配線である。
【０１０４】
さらに、音声枠ランプ基板９２は、主基板１２０から入力される電飾信号の種類に応じて、ランプドライバ基板９３およびランプ中継基板８９を介して、遊技盤４０に取り付けられている装飾ランプの点灯制御を行なう。
【０１０５】
また、第１ドア開放スイッチ１１１および第２ドア開放スイッチ１１２の配線は、払出制御基板９８を介して、主基板１２０に接続され、主基板１２０からの情報信号に基づいて音声枠ランプ基板９２によって遊技効果ＬＥＤ、遊技効果ランプ等を点灯制御することにより外枠２，前面枠３および前面扉枠４の開放状態が報知される。
【０１０６】
特別図柄及び特別図柄記憶基板８５は、主基板１２０から図柄中継基板８４を介して入力される表示制御信号の種類に応じて、特別図柄表示装置４４ａにおける特別図柄の表示制御を行なうとともに、特別図柄始動記憶ＬＥＤ４６の点灯制御を行なう。また、普通図柄および普通図柄記憶基板８６は、主基板１２０から図柄中継基板８４を介して入力される表示制御信号の種類に応じて、普通図柄表示装置６３における普通図柄の表示制御を行なうとともに、普通図柄始動記憶ＬＥＤ６４の点灯制御を行なう。演出制御基板９０は、主基板１２０から入力される表示制御信号の種類に応じて、スケーラ基板９１およびインバータ基板８８を介して、液晶表示装置４４ｂにおける飾り図柄の表示制御を行なう。状態表示および連続作動回数表示基板８７は、主基板１２０から図柄中継基板８４を介して入力される情報信号の種類に応じて、状態表示および連続作動回数表示器７の表示制御を行なう。
【０１０７】
また、払出制御基板９８は、満タンスイッチ１５８からの満タン信号に基づいて払出停止信号を玉払出装置１５４に出力し、玉払出装置１５４に搭載されている払出モータ１１５の駆動を停止させる。また、満タンスイッチ１５８からの満タン信号は、払出制御基板９８を介して主基板１２０に入力される。なお、満タンスイッチ１５８からの満タン信号が主基板１２０に入力されたときには、主基板１２０から音声枠ランプ基板９２に満タン信号を出力して所定のランプ又はＬＥＤを表示駆動してその旨を報知するようにしてもよい。また、満タンスイッチ１５８からの満タン信号を払出制御基板９８に出力するので、たとえば、該払出制御基板９８上のエラー表示器等でその旨を報知するようにしてもよい。
【０１０８】
また、遊技盤４０に設けられるゲートスイッチ６２を除く各スイッチ５２，５５ａ，５５ｂ，６０，５６ａ，５６ｂからの入力信号に基づいて主基板１２０は、払出制御基板９８に賞球個数信号を出力する。払出制御基板９８は、その賞球個数信号の入力に基づいて、払出中継基板１１３を介して、払出モータ１１５を駆動して所定個数の賞球を払い出す。また、払出個数カウントスイッチ１１６からの入力信号に基づいて主基板１２０は、未払出数があるか否かを判定する。また、払出個数カウントスイッチ１１６からの入力信号に基づいて主基板１２０は、枠用外部端子板１０２に賞球個数情報（１０個で１パルス）を出力し、この信号を枠用外部端子板１０２から外部の管理コンピュータの出力する。また、払出制御基板９８は、その賞球個数信号の入力に基づいて、プラ枠中継基板１０８および賞球ＬＥＤ基板１９８を介して、賞球ＬＥＤ１０を表示駆動してその旨を報知する。
【０１０９】
さらに、球切れスイッチ１５７からの球切れスイッチ信号に基づいて払出制御基板９８は、払出停止信号を玉払出装置１５４に出力し、払出モータ１１５の駆動を停止させる。払出制御基板９８は、プラ枠中継基板１０８および球切れＬＥＤ基板１９７を介して、球切れＬＥＤ９を所定の態様で表示駆動する。
【０１１０】
なお、満タンスイッチ１５８又は球切れスイッチ１５７のいずれかがＯＮすることで賞球停止信号（払出停止コマンド）を主基板１２０から払出制御基板９８に出力して賞球しないようにし、いずれのスイッチ１５８，１５７ともＯＦＦであれば賞球可能信号（払出停止解除コマンド）を出力するというものでもよい。また、賞球ＬＥＤ１０に換えて未払出がある場合、点灯する未払出報知ランプなどを設けてもよい。
【０１１１】
主基板１２０には、遊技動作を制御するためのスイッチ入力、賞球の払出動作を制御するためのスイッチ入力しか入力されず、主基板１２０と払出制御基板９８を除く他の制御基板との関係においては、主基板１２０から他の制御基板に向かって一方向の通信関係となる。このため、他の制御基板に不法な処理プログラムを組み込んで主基板１２０で不正な処理を施そうとしても実行することができないという利点があり、また、主基板１２０の制御の一部を他の制御基板で担当しているので、主基板１２０の負担が軽減されるとともに、主基板１２０の検査の容易化を図ることも可能である。
【０１１２】
また、払出制御基板９８には、玉払出装置１５４に搭載されている払出センサ基板１１４のモータ位置センサおよび払出個数カウントスイッチ１１６からの信号が払出中継基板１１３を介して入力され、残高表示基板１０４の球貸スイッチおよび返却スイッチからの信号およびカードユニット装置から各種の情報が遊技球等貸出装置接続端子板１０３を介して入力されている。さらに、前述したように、主基板１２０から賞球個数信号、満タン信号、球切れ信号が入力されるものである。上記した入力信号のうち、モータ位置センサからの入力信号に基づいて払出制御基板９８は、貸球および賞球の払出動作において払出モータ１１５の停止位置、即ち玉払出装置１５４の玉払出部材の停止位置を正確に制御するとともに玉払出部材が動作しているか否かを検出できる。また、払出個数カウントスイッチ１１６からの入力信号に基づいて払出制御基板９８は、貸球および賞球の正確な払出数を払い出すように払出モータ１１５を駆動制御するとともに、枠用外部端子板１０２に貸球数情報（１００円分の球２５個で１パルス）を出力する。なお、賞球数情報を主基板１２０から出力するようにしてもよい。
【０１１３】
また、払出制御基板９８は、球貸スイッチからの入力信号に基づいてカードユニット装置から貸球要求信号が出力されると払出モータ１１５を駆動し、また、返却スイッチからの入力信号は、遊技球等貸出装置接続端子板１０３を経由してカードユニット装置に伝達される。また、カードユニット装置からの各種の情報信号も遊技球等貸出装置接続端子板１０３を経由して残高表示基板１０４の度数表示ＬＥＤ（図示しない）に伝達される。さらに、主基板１２０からの球切れ信号、賞球個数信号、満タン信号等に基づいて払出制御基板９８は、前述したように払出中継基板１１３を介して賞球の払出動作を実行せしめたり、発射制御基板１０７に発射モータ６０１の停止信号を出力したりする。なお、枠用外部端子板１０２にサンパック中継基板１０１を介して接続される球切れスイッチ１５７および満タンスイッチ１５８からの入力信号は、球切れ情報または満タン情報として外部の管理コンピュータ等に出力される。
【０１１４】
電源基板９７は、一次電源として電源コード１１７を介して、ＡＣ２４Ｖの交流電源を受ける。そして、電源基板９７は、主基板１２０と、払出制御基板９８と、二次電源としての電力が供給される。主基板１２０は、電源基板９７から供給された電力に基づき、各種制御処理を行なうとともに、各種遊技効果ＬＥＤ，遊技効果ランプ，および、装飾ランプを点灯させるとともに、周辺電源中継基板４７を介して、音声枠ランプ基板９２に供給する。音声枠ランプ基板９２は、主基板１２０から供給された電力に基づき、枠ランプ中継基板９９および前板中継基板１００を介して各種遊技効果ＬＥＤ，遊技効果ランプ，および、装飾ランプを点灯させるための電力を供給するとともに、演出制御基板９０に液晶表示装置４４ｂに画像を表示するための電力を供給する。払出制御基板９８は、電源基板９７から供給された電力に基づき、払出モータ１１５および打球発射装置１３０に搭載された発射モータ６０１を駆動させる処理を含む各種制御処理を行なう。
【０１１５】
次に、前述した実施の形態により得られる主な効果を説明する。
（１）  前述した実施形態においては、液晶ボックス８１ｂの凹面にスケーラ基板ボックス取付部９１ｂを形成するとともに凸面に第１演出制御基板ボックス取付部１２６ａおよび第２演出制御基板ボックス取付部１２６ｂを形成し、凹面にスケーラ基板９１を収容し、その上に演出制御基板９０および音声枠ランプ制御基板９２等を積み重ねて取り付けることができる。このように、液晶表示装置４４ｂが大型化するほど大きくなる液晶ボックス８１ｂを有効利用し、スケーラ基板９１と演出制御基板９０および音声枠ランプ基板９２等とをパチンコ遊技機１の奥行き方向に積層させて、液晶ボックス８１ｂの後面側に取り付けることができる。このため、液晶表示装置４４ｂの大型化および基板増加に対応しやすくすることができる。
【０１１６】
（２）  前述した実施形態においては、図９を参照して説明したように、液晶ボックス８１ｂの凹面に収容されるスケーラ基板９１の基板側コネクタ７６を、配線側コネクタ７７を抜き挿しする方向がスケーラ基板９１の面に沿った方向となるように実装される。このため、スケーラ基板９１を収容するスケーラ基板ボックス９１ａとして必要な高さを、たとえば配線側コネクタがスケーラ基板９１の面と直行する方向に配線側コネクタ７７を抜き挿しするように実装されている場合と比較して、低くすることができる。よって、液晶ボックス８１ｂをへこませる大きさを極力小さくすることができるため、液晶ボックス８１ｂの後面方向への突出を最小限に抑えることができ、省スペース化を図ることができる。
【０１１７】
（３）  前述した実施形態においては、液晶ボックス８１ｂの後面上方の凹面に枠ランプ中継基板９９を取り付けるための枠ランプ中継取付部９９ｂが形成されており、当該枠ランプ中継取付部９９ｂに枠ランプ中継基板９９および枠ランプ中継基板９９以外の基板を収容するためのスペースが予め設けられている。これにより、液晶ボックス８１ｂをより一層有効利用できるとともに、将来的に基板が増加される場合であってもスムーズに対応することができる。
【０１１８】
（４）  前述した実施形態においては、演出制御基板ボックス１２５の蓋体に凹部が形成されており、当該凹部に電源中継基板４７と周辺コマンド中継基板５７とが収容される。これにより、演出制御基板ボックス１２５の蓋体のスペースをも有効利用することができる。
【０１１９】
（５）  前述した実施形態においては、図１０を参照して説明したように、遊技盤４０の後面に取り付けられる枠ランプ中継基板９９と、前面枠３の前面に取り付けられる前板中継基板１００とを接続するための配線７４を、保持するための保持部材１６９が前面枠３の後面に取り付けられている。これにより、遊技盤４０を前面枠３から取り外す際に、抜いた配線側コネクタ７５および配線７４を保持部材１６９により浮かせた状態に保持させておくことができるため、作業性を向上させることができ遊技盤４０の交換をスムーズに行なうことができる。
【０１２０】
（６）  前述した実施形態においては、図５および図６を参照して説明したように、液晶ボックス８１ｂの後面に、枠ランプ中継基板カバー体９９ａ、インバータ基板ボックス８８ａ、スケーラ基板ボックス９１ａ、および演出制御基板ボックス１２５を取り付けるためのスライド穴および係止片等が形成されており、かつ枠ランプ中継基板カバー体９９ａ、インバータ基板ボックス８８ａ、スケーラ基板ボックス９１ａ、および演出制御基板ボックス１２５に前述のスライド穴に係合する係合片が形成されている。このため、枠ランプ中継基板カバー体９９ａ、インバータ基板ボックス８８ａ、スケーラ基板ボックス９１ａ、および演出制御基板ボックス１２５の係合片をそれぞれ対応する液晶ボックス８１ｂのスライド穴に係合させてスライドさせることにより係止片により係止されて、枠ランプ中継基板カバー体９９ａ、インバータ基板ボックス８８ａ、スケーラ基板ボックス９１ａ、および演出制御基板ボックス１２５を液晶ボックス８１ｂの後面側に取り付けることができる。また、係止片を撓ませる等により、枠ランプ中継基板カバー体９９ａ、インバータ基板ボックス８８ａ、スケーラ基板ボックス９１ａ、および演出制御基板ボックス１２５を液晶ボックス８１ｂの後面側から取り外すことができる。これにより、ビス等を使用せずに液晶ボックス８１ｂの後面側に取り付けることができるため、ビス等を取り外す工具等を要することなく枠ランプ中継基板カバー体９９ａ、インバータ基板ボックス８８ａ、スケーラ基板ボックス９１ａ、および演出制御基板ボックス１２５の取り付けおよび取り外しをすることができ、メンテナンス性を向上させることができる。
【０１２１】
（７）  前述した実施形態においては、インバータ基板８８が液晶ボックス８１ｂや演出制御基板ボックス１２５と別体のインバータ基板ボックス８８ａに収容されており、かつインバータ基板８８がレベル調整スイッチ８８ｃを有しているため、遊技盤４０の後面側の設置状況に応じてレベル調整スイッチ８８ｃを操作しやすい場所にインバータ基板ボックス８８ａを配置することができ、レベル調整スイッチ８８ｃの操作性を向上させることができる。また、たとえば、インバータ基板８８が演出制御基板９０等に搭載されており一体のボックスに収容されている場合と比較して、インバータ基板８８から発生する熱の放熱効率を向上させることができる。
【０１２２】
（８）  前述した実施形態においては、図６を参照して説明したように、スケーラ基板９１の後面側に積み重ねて取り付けられる演出制御基板ボックス１２５は、スケーラ基板ボックス取付部９１ｂを間に挟み形成される第１演出制御基板ボックス取付部１２６ａおよび第２演出制御基板ボックス取付部１２６ｂにより、液晶ボックス８１ｂに取り付けられる。このため、液晶ボックス８１ｂに取り付けられた演出制御基板ボックス１２５の安定性を向上させることができる。
【０１２３】
次に、以上に説明した実施の形態の変形例や特徴点を以下に列挙する。
（１）  前述した実施の形態においては、前述した実施の形態におけるスケーラ基板ボックス９１ａは、スケーラ基板９１を収容する部材であればよく、スケーラ基板９１が主体に取り付けられているものでも、蓋体に取り付けられているものでもよい。また、その他のインバータ基板ボックス８８ａ、演出制御基板ボックス１２５、および主基板ボックス１３６についても同様に、所定の基板を収容する部材であればよく、当該基板が主体に取り付けられているものでも、蓋体に取り付けられているものでもよい。
【０１２４】
（２）  前述した実施の形態においては、第１演出制御基板ボックス取付部１２６ａと第２演出制御基板ボックス取付部１２６ｂとの間の凹面に、スケーラ基板ボックス取付部９１ｂが形成され、スケーラ基板９１を跨ぐようにしてその上から演出制御基板ボックス１２５が取り付けられる例について説明した。しかし、このように、スケーラ基板９１を跨ぐようにしてその上から演出制御基板ボックス１２５が取り付けられるものに限らず、スケーラ基板ボックス取付部９１ｂが形成される凹面と、第１演出制御基板ボックス取付部１２６ａと第２演出制御基板ボックス取付部１２６ｂとが形成される凸面とは、液晶ボックス８１ｂの後面においてどのような位置に配置されるものであってもよい。たとえば、図６で示した第１演出制御基板ボックス取付部１２６ａを凹ませてスケーラ基板ボックス取付部を形成してスケーラ基板ボックス取付部９１ｂを取り付け、図６で示した第２演出制御基板ボックス取付部１２６ｂと図６で示したスケーラ基板ボックス取付部９１ｂを突出させて第２演出制御基板ボックス取付部１２６ｂの面と揃えた部分とで演出制御基板ボックス取付部を形成して演出制御基板ボックス１２５を取り付けるように構成してもよい。
【０１２５】
（３）  前述した実施の形態においては、別基板としてスケーラ基板９１を例にして説明したが、これに限らず、別基板としては、演出制御基板９０および音声枠ランプ制御基板９２と異なる基板であればどのような基板であってもよい。
【０１２６】
（４）  前述した実施の形態においては、表示装置が液晶表示装置４４ｂにより構成される例について説明したが、特にこれに限定するものではなく、ＣＲＴ、ＬＥＤ、ＶＦＤ、ＥＬ、あるいはプラズマによる表示装置や、ドラム式又はリール式の表示装置であってもよい。また、当該表示装置においては、飾り図柄を変動表示し、特別図柄表示装置４４ａにおいて特別図柄を変動表示する例について説明したが、これに限らず、表示装置のみを備えた遊技機であってもよい。当該表示装置において特別図柄を変動表示するものであってもよい。
【０１２７】
（５）  前述した実施の形態においては、パチンコ遊技機の構成として、始動玉検出器の入賞球の検出に伴って変動表示装置での識別情報の変動を開始し、該識別情報が所定の表示結果となると大当りが発生して可変入賞球装置を開放するパチンコ遊技機（これを俗に第１種という）を例示しているが、特にこれに限定するものではなく、始動玉検出器の入賞球の検出に伴って可変入賞球装置を開放し、該可変入賞球装置内の特定領域への打玉の入賞により大当りを発生するパチンコ遊技機（これを俗に第２種という）や、始動玉検出器の入賞球の検出に伴って変動表示装置での識別情報の変動を開始し、該識別情報が所定の表示結果となると権利発生状態となり、この状態で特定領域に打玉が入賞すると大当りが発生するパチンコ遊技機（これを俗に第３種という）であってもよい。また、コインやクレジットを用いて１ゲームに対して所定数の賭数を設定することによりゲームを開始させることが可能となり、複数種類の識別情報を変動表示させる可変表示装置に表示結果が導出されることにより１ゲームが終了し、該可変表示装置に導出された表示結果に応じて入賞が発生可能であるスロットマシンであってもよい。また、所定の入賞口を表わす画像を含む遊技盤面画像と、該遊技盤面画像上を移動する遊技球を表わす遊技球画像と、該遊技球画像の衝突により該遊技球画像の軌道を変化させる障害物画像とを表示可能な画像表示装置を備え、遊技者が所定の遊技を行なうことが可能な画像式遊技機であってもよい。
【０１２８】
（６）  前述した実施の形態における液晶ボックス８１ｂには、枠ランプ中継基板カバー体９９ａ、スケーラ基板ボックス９１ａおよび演出制御基板ボックス１２５（以下、取付対象部材という）各々を取り付けるための取付部が複数形成されており、当該取付部には取付対象部材に形成されている係合片が係合するスライド穴が形成されている例について説明した。すなわち、取付部には、凹状の取付部側係合部が、取付対象部材には、凸状の取付対象部材側係合部が、各々形成されている例について説明した。しかし、これに限らず、取付部に形成される取付部側係合部は、凹状のものに限らず、また、取付対象部材に形成される取付対象部材側係合部は、凸状のものに限らず、取付部に形成される取付部側係合部と取付対象部材に形成される取付対象部材側係合部とが互いに係合する形状であれば、どのような形状であってもよい。たとえば、取付部の取付部側係合部に凸状の係合片が形成され、取付対象部材の取付対象部材側係合部に凹状のスライド穴が形成されたものであってもよい。また、取付部の取付部側係合部に凸状の係合片が形成され、取付対象部材の取付対象部材側係合部に取付部側係合部の係合片と係合する凸状の係合片が形成されたものであってもよい。
【０１２９】
（７）  なお、今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【図面の簡単な説明】
【０１３０】
【図１】パチンコ遊技機の正面図である。
【図２】パチンコ遊技機の背面図である。
【図３】遊技盤の拡大背面図である。
【図４】遊技盤に取り付けられる裏パックおよび入賞球誘導カバー体を説明するための斜視図である。
【図５】裏パックに取り付けられる液晶ボックスおよび演出制御基板ボックスと、入賞球誘導カバー体に取り付けられる主基板ボックスとを説明するための斜視図である。
【図６】液晶ボックスの構造および液晶ボックスに取り付けられる枠ランプ中継基板カバー体、インバータ基板ボックス、およびスケーラ基板ボックスを説明するための斜視図である。
【図７】液晶ボックスに枠ランプ中継基板カバー体、インバータ基板ボックス、およびスケーラ基板ボックスが一体的に取り付けられた状態を説明するための斜視図である。
【図８】図３に示すＶＩＩＩ−ＶＩＩＩ断面を説明するための概略断面図である。
【図９】図７で示すＩＸ−ＩＸ断面を説明するための概略断面図である。
【図１０】保持部材および保持対象の配線を説明するための概略図である。
【図１１】主基板と各種制御基板および電気部品との関係を示すブロック図である。
【符号の説明】
【０１３１】
３  前面枠、４  前面扉枠、４０  遊技盤、４４ｂ  液晶表示装置、８１ａ  裏パック、８１ｂ  液晶ボックス、９０  演出制御基板、９１  スケーラ基板、９１ａ  スケーラ基板ボックス、９２  音声枠ランプ基板、９９  枠ランプ中継基板、１２０  主基板、１２５  演出制御基板ボックス、１５４  玉払出装置。
【図１】
2008048958.tif 000003
【図２】
2008048958.tif 000004
【図３】
2008048958.tif 000005
【図４】
2008048958.tif 000006
【図５】
2008048958.tif 000007
【図６】
2008048958.tif 000008
【図７】
2008048958.tif 000009
【図８】
2008048958.tif 000010
【図９】
2008048958.tif 000011
【図１０】
2008048958.tif 000012
【図１１】
2008048958.tif 000013